(57)【要約】【課題】サイズの異なる２種類のカードが使用可能なカードコネクタにおいて、イジェクト用スライダ７とは別に小形カード用のコンタクト保護用スライダを備えても、大形カードを従来より小さい押込力でカードセット位置へ挿入可能なカードコネクタの提供。【解決手段】コンタクト保護用スライダ４４に大形カード１をこの挿入方向から当接させる突起６１を備え、大形ガード１によって前記スライダ４４が押込まれ、該スライダ４４によって小形カード用コンタクト６を下方へ押倒す。また前記スライダ４４の側部に上下方向に揺動自在に設けるロックレバー６３と、該レバー６３の揺動端部に設ける前記突起６１と、本体ボディ４のボディ底面１３に設けるロック溝６４とを備えるロック機構９を備え、前記コンタクト６押倒時、ロックレバー６３がロック溝６４に落込み、前記スライダ４４を本体ボディ４に位置固定すると共に、前記突起６１を大形カード１から外す。【選択図】        図２
2005011666.tif 000002
【特許請求の範囲】
【請求項１】
サイズの異なる２種類の大形カード及び小形カード共用の単一のカード挿入口を有する本体ボディに、大形カード用コンタクト及び小形カード用コンタクトとカードイジェクト用スライダとを備え、小形カードをカードイジェクト用スライダを押込みながら大形カード用コンタクトより手前に配置された小形カード用コンタクトに対応するカードセット位置へ挿入し、大形カードをカードイジェクト用スライダを押込みながら小形カード用コンタクトより奥側に配置された大形カード用コンタクトに対応するカードセット位置へ挿入するカードコネクタにおいて、小形カード用コンタクト保護機構とそのロック機構とを備え、小形カード用コンタクト保護機構はカード排出方向へバネ付勢されるコンタクト保護用スライダを備えると共に、該コンタクト保護用スライダには大形カードをこの挿入方向から当接させる突起を備え、大形カード挿入時、該大形ガードによってコンタクト保護用スライダが本体ボディのボディ底面上で押込まれ、該コンタクト保護用スライダによって小形カード用コンタクトを下方へ押倒し大形カードに接触することを防止し、ロック機構はコンタクト保護用スライダの側部に上下方向に揺動自在に設けるロックレバーと、該ロックレバーの揺動端部に設ける前記突起と、本体ボディのボディ底面に設けるロック溝とを備え、前記小形カード用コンタクト保護機構が働いた時、ロックレバーがロック溝に落込み、コンタクト保護用スライダを小形カード用コンタクト押倒位置にて本体ボディに位置固定すると共に、コンタクト保護用スライダの突起を大形カードから外すことを特徴とするカードコネクタ。
【請求項２】
大形カードに対する前記突起の当接面を垂直方向から水平方向へ湾曲する円弧面で形成し、前記小形カード用コンタクト保護機構が働いた時、大形カードが突起を押下げながら通過することによって、ロックレバーがロック溝に落込み、ロック機構を働かせると共に、そのロック状態を維持するように構成した請求項１に記載のカードコネクタ。
【請求項３】
カード判別機構とスライダ一体分離切換機構とを備え、カード判別機構はカード挿入口付近のカード挿入空間にこの横外側方から弾力的に先端部を突出させるカード判別部材を備え、大形カードと小形カードの横幅の異なりによって小形カード挿入時に比べて大形カード挿入時にカード挿入空間へのカード判別部材の先端部突出量が多くなることによって大形カードと小形カードの判別を行い、スライダ一体分離切換機構は前記カードイジェクト用スライダに設ける前記カード判別部材と、該カード判別部材の先端部をコンタクト保護用スライダに係合させる係合溝とを備え、カード判別機構による小形カード判別動作によってカード判別部材の先端部を係合溝に嵌込み、カードイジェクト用スライダとコンタクト保護用スライダをカード判別部材によって連結し、カード判別機構による大形カード判別動作によってカード判別部材の先端部を係合溝から外し、カードイジェクト用スライダとコンタクト保護用スライダを分離するように構成した請求項１又は２に記載のカードコネクタ。
【請求項４】
ロックレバーとロック溝との接触部分に金属部材を備えた請求項１乃至３の何れか一つに記載のカードコネクタ。
【請求項５】
ロックレバーとロック溝との接触部分を円弧状に形成した請求項１乃至４の何れか一つに記載のカードコネクタ。
【請求項６】
カード挿入口を開閉するシャッタ部材を備えた請求項１乃至５の何れか一つに記載のカードコネクタ。
【発明の詳細な説明】
【０００１】
【発明が属する技術分野】
本発明は、サイズの異なる２種類のカードが使用可能なカードコネクタに関する。
【０００２】
【従来の技術】
従来、所謂ＭＳカードとＭＳＤｕｏカード（ＭＳカードの方が厚さ、横幅、長さにおいてＭＳＤｕｏカードに比べて大きい。）のように、サイズの異なる２種類のカードが使用可能なカードコネクタにおいては、大形カード（ＭＳカード）挿入時、該大形カードによって押込まれ、大形カード用コンタクトより手前に配置された小形カード（ＭＳＤｕｏカード）用コンタクトをカード挿入空間の外側へ押倒すコンタクト保護用スライダを、カードイジェクト用スライダとは別に備え、小形カード用コンタクトが大形カードに接触することを防止する技術があった（例えば、特許文献１参照。）。
【０００３】
【特許文献１】
実開平６−４４０５２号公報
【０００４】
【発明が解決しようとする課題】
前記従来技術は、大形カード挿入時、該大形カードによってコンタクト保護用スライダとカードイジェクト用スライダの両方を押込みながら小形カード用コンタクトより奥側に配置された大形カード用コンタクトに対応するカードセット位置へ挿入するため、大きなカード押込力（カード挿入力）を必要とした。
【０００５】
本発明は、サイズの異なる２種類のカードが使用可能なカードコネクタにおいて、カードイジェクト用スライダとは別に小形カード用のコンタクト保護用スライダを備えても、従来に比べて小さい押込力で大形カードをカードセット位置へ挿入できるカードコネクタを提供することを本発明の主たる目的とする。
【０００６】
【課題を解決するための手段】
上記目的を達成するための本発明のカードコネクタは、サイズの異なる２種類の大形カード及び小形カード共用の単一のカード挿入口を有する本体ボディに、大形カード用コンタクト及び小形カード用コンタクトとカードイジェクト用スライダとを備え、小形カードをカードイジェクト用スライダを押込みながら大形カード用コンタクトより手前に配置された小形カード用コンタクトに対応するカードセット位置へ挿入し、大形カードをカードイジェクト用スライダを押込みながら小形カード用コンタクトより奥側に配置された大形カード用コンタクトに対応するカードセット位置へ挿入するカードコネクタにおいて、小形カード用コンタクト保護機構とそのロック機構とを備え、小形カード用コンタクト保護機構はカード排出方向へバネ付勢されるコンタクト保護用スライダを備えると共に、該コンタクト保護用スライダには大形カードをこの挿入方向から当接させる突起を備え、大形カード挿入時、該大形ガードによってコンタクト保護用スライダが本体ボディのボディ底面上で押込まれ、該コンタクト保護用スライダによって小形カード用コンタクトを下方へ押倒し大形カードに接触することを防止し、ロック機構はコンタクト保護用スライダの側部に上下方向に揺動自在に設けるロックレバーと、該ロックレバーの揺動端部に設ける前記突起と、本体ボディのボディ底面に設けるロック溝とを備え、前記小形カード用コンタクト保護機構が働いた時、ロックレバーがロック溝に落込み、コンタクト保護用スライダを小形カード用コンタクト押倒位置にて本体ボディに位置固定すると共に、コンタクト保護用スライダの突起を大形カードから外すことを特徴とする。
【０００７】
また、大形カードに対する前記突起の当接面を垂直方向から水平方向へ湾曲する円弧面で形成し、前記小形カード用コンタクト保護機構が働いた時、大形カードが突起を押下げながら通過することによって、ロックレバーがロック溝に落込み、ロック機構を働かせると共に、そのロック状態を維持するように構成したことを特徴とする。
【０００８】
また、カード判別機構とスライダ一体分離切換機構とを備え、カード判別機構はカード挿入口付近のカード挿入空間にこの横外側方から弾力的に先端部を突出させるカード判別部材を備え、大形カードと小形カードの横幅の異なりによって小形カード挿入時に比べて大形カード挿入時にカード挿入空間へのカード判別部材の先端部突出量が多くなることによって大形カードと小形カードの判別を行い、スライダ一体分離切換機構は前記カードイジェクト用スライダに設ける前記カード判別部材と、該カード判別部材の先端部をコンタクト保護用スライダに係合させる係合溝とを備え、カード判別機構による小形カード判別動作によってカード判別部材の先端部を係合溝に嵌込み、カードイジェクト用スライダとコンタクト保護用スライダをカード判別部材によって連結し、カード判別機構による大形カード判別動作によってカード判別部材の先端部を係合溝から外し、カードイジェクト用スライダとコンタクト保護用スライダを分離するように構成したことを特徴とする。
【０００９】
また、ロックレバーとロック溝との接触部分に金属部材を備えたことを特徴とする。
【００１０】
また、ロックレバーとロック溝との接触部分を円弧状に形成したことを特徴とする。
【００１１】
また、カード挿入口を開閉するシャッタ部材を備えたことを特徴とする。
【００１２】
【発明の実施の形態】
以下、本発明の実施例を図面に基づいて説明する。図１は本発明に係るカードコネクタの外観斜視図、図２は図１のカードコネクタのカバーを取外した状態の外観斜視図、図３は本体ボディの外観斜視図、図４はコンタクト保護機構及びそのロック機構の作動前の状態を示す斜視説明図、図５は図４のロック機構の作動直前の状態を示す斜視説明図、図６はコンタクト保護機構の作動状態を示す側面説明図、図７はロック機構の作動状態を示す側面説明図、図８はカード判別機構とスライダ一体分離機構を示す平面説明図、図９はカード判別機構とスライダ一体分離機構の部分拡大斜視説明図、図１０は小形カード挿入時のカード判別機構とスライダ一体分離機構を示す平面説明図、図１１は大形カード挿入時のカード判別機構とスライダ一体分離機構を示す平面説明図、図１２はシャッタを閉じた状態のカード挿入口部内側の斜視図、図１３はシャッタを開いた状態のカード挿入口部内側の斜視図、図１４はシャッタを閉じた状態のカード挿入口部の外観斜視図、図１５はシャッタを開いた状態のカード挿入口部の外観斜視図であり、該カードコネクタは基本構成として、サイズの異なる２種類の大形カード１及び小形カード２共用の単一のカード挿入口３を有する本体ボディ４に、大形カード用コンタクト（以下、「後コンタクト」という。）５及び小形カード用コンタクト（以下、「前コンタクト」という。）６と、カードイジェクト機構を構成するカードイジェクト用スライダ（以下、「上スライダ」という。）７とを備え、加えて本発明の特徴構成として小形カード用コンタクト保護機構（以下、「前コンタクト保護機構」という。）８とそのロック機構９、並びにカード判別機構１０とスライダ一体分離切換機構１１、さらにカード挿入口３を開閉するシャッタ部材１２を備え、携帯電話機、ＰＤＡ、携帯型オーディオ、カメラ等の電子機器のプリント配線基板に実装され、サイズの異なる２種類の大形カード１と小形カード２が使用可能である。
【００１３】
サイズの異なる２種類のカードとして本実施例では、ＭＳ（メモリースティック）カードを大形カード１として示し、ＭＳ（メモリースティック）Ｄｕｏカードを小形カード２として示し、大形カード１（ＭＳカード）の方が厚さ、横幅、長さにおいて小形カード（ＭＳＤｕｏカード）に比べて大きい。
【００１４】
先ずカードコネクタの基本構成を説明する。図１乃至図３に示す如く、本体ボディ４は樹脂材料等の絶縁体によって一体成形加工したもので、平面視縦長な略長方形状のボディ底面１３の前縁からボディ前側壁１４を、右側縁からボディ右側壁１５を、後側縁からボディ後側壁１６をそれぞれ直角に立上げ、上面及び左側面を開放したトレー形状に形成すると共に、前側壁１４の中央部を大形カード１の厚さ及び横幅に応じた横幅及び深さに切欠き、大形カード１及び小形カード２共用の単一のカード挿入口３を形成している。また本体ボディ４の外側にこの前方又は後方から嵌込む下方に開いた横長の角張ったＣ形状のカバー１７を備え、該カバー１７によって本体ボディ４の開放面である上面及び左側面、さらには右側壁１５も覆い、本体ボディ４とカバー１３によって前側面にカード挿入口３を開口形成した縦長薄型の略四角箱形状のコネクタケース１８を形成し、該コネクタケース１８の内部、即ち本体ボディ４内側のカード挿入空間１９に大形カード１及び小形カード２の何れか一方を一枚ずつカード挿入口３から挿入するように構成している。
【００１５】
カバー１７は薄い金属板によって一体成形加工したもので、コネクタケース１８のシールドフレームを兼ねる。カバー１７の上面前部には四角形状の窓２０を開口形成すると共に、窓２０の後縁左右側部から前方斜め下方に延出させる左右のカード押え用板バネ２１をカバー１７に一体形成し、各板バネ２１の自由端部をカード挿入空間１９の前端左右側部にこの上方から突出させ、該自由端部に上方に開いた円弧状のカード押え部２２を形成し、該押え部２２をカード挿入口３からカード挿入空間１９に挿入された大形カード１又は小形カード２の上面左右側部に乗上げさせ、挿入カード１又は２を常時下方に弾力的に押し、挿入カード１又は２の挿入途中及びそれぞれのカードセット位置での浮上りや上下方向のがたつきを防止するように構成している。
【００１６】
カード挿入空間１９の前部下側と後部下側に対応するボディ底面１３の前部中央部と後部中央部には前後のコンタクト取付部２３，２４を形成すると共に、各コンタクト取付部２３，２４の上面には前後方向に延びる溝２５，２６を、左右横方向に複数並べて形成している。また前コンタクト取付部２３より前側のボディ底面４ａを切欠き、前コンタクト取出口２７を形成すると共に、後コンタクト取付部２４の各溝２６の後端をボディ後側壁１６の外面に連通させる複数の後コンタクト取出口２８を、該ボディ後側壁１６に左右横方向に並べて形成している。前コンタクト取出口２７とカード挿入口３は連続形成される。
【００１７】
後コンタクト５は細長い接触バネ片である複数の後コンタクト端子２９で構成し、前コンタクト６も後コンタクト端子と同様の複数の前コンタクト端子３０によって構成している。
【００１８】
各前コンタクト端子３０は前半部を前コンタクト取付部２３の各溝２５内に圧入固定し、自由端部となる後半部を各溝２５の後端から後上がり傾斜姿勢で突出させて前コンタクト接片３１を形成し、左右横方向に並ぶ各前コンタクト接片３１をカード挿入空間１９の前部にこの下方から突出させると共に、各前コンタクト接片３１の先端部に下方に開いた円弧状の前コンタクト接点３２を形成し、後述する各後コンタクト端子２９より手前（前方）に各前コンタクト端子３０を配設している。また各前コンタクト端子３０は前端が各溝２５の前端から前コンタクト取出口２７を介してボディ底面１３の裏面側に取出され、電子機器のプリント配線基板の前コンタクトパッド（小形カード用コンタクトパッド）に半田接続される。
【００１９】
各後コンタクト端子２９は後半部を後コンタクト取付部２４の各溝２６内に圧入固定し、自由端部となる前半部を各溝２６の前端から前上がり傾斜姿勢で突出させて後コンタクト接片３３を形成し、左右横方向に並ぶ各後コンタクト接片３３をカード挿入空間１９の後部にこの下方から突出させると共に、各後コンタクト接片３３の先端部に下方に開いた円弧状の後コンタクト接点３４を形成し、前述の各前コンタクト端子３０より奥側（後方）に各後コンタクト端子２９を配設している。また各後コンタクト端子２９は後端が各溝２６の後端から各後コンタクト取出口２８を介してボディ後側壁１６の外面側に取出され、電子機器のプリント配線基板の後コンタクトパッド（大形カード用コンタクトパッド）に半田接続される。
【００２０】
上スライダ７は樹脂材料によって一体成形加工したもので、カード挿入空間１９内の上部を左右に横切る形態で平面視横長な長方形板状に形成すると共に、両側に左右脚部３５，３６を一体形成している。
【００２１】
上スライダ７は左脚部３５の下面をカード挿入空間１９より左側のボディ底面１３の左側縁部に摺動自在に支持させると共に、右脚部３６の下面をカード挿入空間１９より右側のボディ底面１３の右側縁部に摺動自在に支持させ、カード挿入空間１９内の上部を左右に横切るように左右脚部３５，３６間に架設されている。左右脚部３５，３６の下面を摺接支持するボディ底面１３の左右側縁部は前後コンタクト取付部２３，２４を形成したボディ底面１３の中央部より一段高く形成している。また左右脚部３５，３６をボディ底面１３とカバー１３の上面との間に摺動自在に挟み、上スライダ７の上下方向の位置決めを行い、左脚部３５の外側面をボディ底面１３の左側縁に沿って前後方向に形成するガイドレール３７に摺接支持させると共に、右脚部３６の外側面をボディ右側壁１５の内面に摺接支持させ、上スライダ７の左右方向の位置決めを行い、上スライダ７を前後方向にのみスライド移動自在に本体ボディ４に取付けている。左脚部３５の外側面を摺接支持するガイドレール３７は左脚部３５の下面を摺接支持するボディ底面１３の左側縁部の左側端縁部（ボディ底面１３の左側端縁部）をさらに一段高く形成することでできる段差面によって形成している。
【００２２】
また、左右脚部３５，３６を上スライダ７の前端面より前方へ突出すると共に、左脚部３５を上スライダ７の後端面より後方へ突出し、右脚部３６の後端面を上スライダ７の後端面と面一に形成し、左右脚部３５，３６の前端面をボディ前側壁１４の内面に後方から当接させ、上スライダ７の前方（カード排出方向）へのスライド移動を規制し、この前方への移動終端位置、即ちイジェクト位置で上スライダ７を各前コンタクト接片３１の略真上に位置させる一方、上スライダ７と右脚部３６との面一な後端面をボディ後側壁１６の内面に、また左脚部３５の後端面をボディ後側壁１６の左側端部から後方に張出すボディ張出後側壁３８の内面にそれぞれ前方から同時に当接させ、上スライダ７の後方（カード挿入方向）へのスライド移動を規制し、この後方への移動終端位置、即ち最押込位置で上スライダ７を各後コンタクト端子２９の後半部の上方に位置させ、イジェクト位置と最押込位置との間で上スライダ７を前後方向にスライド移動（往復移動）可能に構成している。前記上スライダ７の前端面とこの前端面より前方に突出する左右脚部３５，３６の内側面とで形成される前方に開いた平面視コの字形の凹部に大形カード１の挿入端部が嵌込まれる。
【００２３】
カードイジェクト機構はイジェクト用コイルバネ（以下、「イジェクトバネ」という。）３９を備える。イジェクトバネ３９はこの後半部をボディ張出後側壁３８の内面から前方に突出する丸棒状のバネ嵌合部４０の外側に嵌合し、後端をボディ張出後側壁３８の内面に当接支持させると共に、前部を左脚部３５の後端面に形成した孔（図示省略）から該左脚部３５の中空内部に挿入し、前端を左脚部３５の中空内部に設けたバネ受部（図示省略）に当接支持させ、本体ボディ４と上スライダ７との間に張設し、該イジェクトバネ３９によって上スライダ７を常時前方へ弾力的に押し、カード未挿入時及びカード排出時、上スライダ７をイジェクト位置に復帰保持させるように構成している。
【００２４】
上スライダ７の前端部下面を上方に窪ませ、上スライダ７の前端面より所定寸法後方へ入込んだ下面位置に小形カード受止面４１を形成し、上スライダ７の前端面を大形カード受止面４２とするもので、小形カード２挿入時、該小形カード２の挿入側端面（後端面）をイジェクト位置にある上スライダ７の小形カード受止面４１に前方から係合させ、小形カード２によって上スライダ７をイジェクトバネ３９に抗して後方へ押込みながら、小形カード２を、この挿入側端部下面に左右横方向に並べて設けられ、かつ小形カード２内部のＩＣ回路に接続される複数の接触パッドが後コンタクト５より手前に配設された前コンタクト６の各前コンタクト接点２３ｂに乗上げて接触するカードセット位置に押込む（挿入する）一方、大形カード１挿入時、該大形カード１の挿入側端面（後端面）をイジェクト位置にある上スライダ７の大形カード受止面４２に前方から係合させ、大形カード１によって上スライダ７をイジェクトバネ３９に抗して後方へ押込みながら、大形カード１を、この挿入側端面から下面にわたって形成される後方及び下方に開いた溝で、かつ左右横方向に並べて形成された複数の溝内に位置し、かつ大形カード１内部のＩＣ回路に接続される複数の接触パッドが前コンタクト６より奥側に配設された後コンタクト５の各後コンタクト接点３４に乗上げて接触するカードセット位置に挿入するように構成している。
【００２５】
大形カード１挿入時、上スライダ７が各後コンタクト接点３４を通過する際、上スライダ７が各後コンタクト接点３４と接触するのを防止するため、上スライダ７の下面には前後方向に延びる溝４３を、左右横方向に複数並べて形成している。
【００２６】
尚、上スライダ７は左脚部３５の外側面に形成されたカム溝と本体ボディ４側に形成されたカムピンで構成されるカムロック機構（図示省略）によって、イジェクト位置と最押込位置との間の２位置、即ち大形カード１のカードセット位置に対応する第１の押込位置と小形カード２のカードセット位置に対応する第２の押込位置に位置固定されると共に、第１及び第２の各押込位置での上スライダ７に対する押込操作によって各押込位置での位置固定が解除されてイジェクトバネ３９によってイジェクト位置に復帰移動され、挿入カード１又は２が各カードセット位置から前方へ押戻されて排出される。したがって、大形カード１及び小形カード２のそれぞれの挿入と排出が、２回の押込操作、所謂プッシュプッシュ操作によって行われる。
【００２７】
上記から明らかなように本実施例のカードコネクタは、サイズの異なる２種類の大形カード１及び小形カード２共用の単一のカード挿入口３を有する本体ボディ４に、後コンタクト５及び前コンタクト６と、カードイジェクト機構を構成する上スライダ７とを備え、小形カード２を上スライダ７を押込みながら後コンタクト５より手前に配置された前コンタクト６に対応するカードセット位置へ挿入し、大形カード１を上スライダ７を押込みながら前コンタクト６より奥側に配置された後コンタクト５に対応するカードセット位置に挿入する基本構成を有する。
【００２８】
次に上記基本構成に加える本発明の特徴構成を説明する。図４乃至図７及び図１２乃至図１５に示す如く、前コンタクト保護機構８はコンタクト保護用スライダ（以下「下スライダ」という。）４４を備える。下スライダ４４は樹脂材料によって一体成形加工したもので、各前コンタクト接片３１を囲う形態で平面視四角枠板形状に形成すると共に、前端中央部から前方に平面視四角形状のガイド板４５を一体延出している。
【００２９】
下スライダ４４は左右脚部３５，３６の下面を摺接支持するボディ底面１３の左右側縁部より一段低くなっているボディ底面１３の中央部に載置するもので、下スライダ４４はこの左右側縁部下面を前コンタクト取付け部２３の両外側のボディ底面１３に摺動自在に支持し、後側縁部下面を前コンタクト取付け部２３より後部のボディ底面１３に摺動自在に支持し、これら左右側縁部と後側縁部の後端上部間に架設した前側縁部を前コンタクト取付部２３の上側を横切らせてこの上面に摺動自在に支持し、各前コンタクト接片３１を囲うようにカード挿入空間１９の下側でボディ底面１３上に配設し、該下スライダ４４の内側開口部４６から各前コンタクト接片３１を後上がり傾斜姿勢でカード挿入空間１９の前部に突出させるように構成している。
【００３０】
大形カード１又は小形カード２挿入時、挿入カード１又は２とボディ底面１３との間に下スライダ４４を挟み、該下スライダ４４の上下方向の位置決めを行い、左右脚部３５，３６の下面を摺接支持するボディ底面１３の左右側縁部と下スライダ４４の左右側縁部と後側縁部の下面を摺接支持するボディ底面１３の中央部との段差面によって形成する前後方向の左右ガイドレール４７，４８に下スライダ４４の左右外側面を摺接支持し、またガイド板４５の左右外側面を後コンタクト取付部２４の前側で各後コンタクト接片３３の下方のボディ底面１３上に設ける前後方向の左右ガイドレール４９，５０に摺接支持し、下スライダ４４の左右方向の位置決めを行い、下スライダ４４を前後方向にのみスライド移動自在に本体ボディ４に取付けている。
【００３１】
左右脚部３５，３６の下面を摺接支持するボディ底面１３の左右側縁部より一段低くなっているボディ底面１３の前端部左右角部に形成する左右ストッパー面５１，５２に、下スライダ４４の左右側縁部の前端面を後方から当接させ、下スライダ４４の前方（カード排出方向）へのスライド移動を規制し、この前方への移動終端位置、即ち初期位置にて下スライダ４４によって各前コンタクト接片３１を囲い、下スライダ４４の前側縁部を各前コンタクト接片３１より前側の前コンタクト取付部２３の上側に移動させ、各前コンタクト接片３１を下スライダ４４の内側開口部４６から後上がり傾斜姿勢の自由状態でカード挿入空間１９の前部に突出させるように構成している。
【００３２】
前コンタクト保護機構８は下スライダ４４の初期位置（初期状態）復帰用コイルバネ（以下、「復帰バネ」という。）５３，５４を備える。復帰バネ５３，５４は左右に２つ設けるもので、ガイド板４５の両外側の下スライダ４４の後端面に左右のバネ受用丸孔５５，５６を開口形成し、該左右丸孔５５，５６の内側に各復帰バネ５３，５４の前端部を嵌合させて、各復帰バネ５３，５４の前端を左右丸孔５５，５６の底面に当接支持させ、左右ガイドレール４９，５０の両外側のボディ底面１３に左右丸孔５５，５６と対向させる左右のバネ受５７，５８を設けると共に、該左右バネ受５７，５８の前面に丸棒状のバネ嵌合部５９，６０を突出し、各復帰バネ５３，５４の後端部を左右バネ嵌合部５９，６０の外側に嵌合させて、各復帰バネ５３，５４の後端を左右バネ受５７，５８の前面に当接支持させ、各復帰バネ５３，５４を本体ボディ４と下スライダ４４との間に張設し、該各復帰バネ５３，５４によって下スライダ４４を常時前方へ弾力的に押し、カード未挿入時及びカード排出時、下スライダ４４を初期位置に復帰保持させるように構成している。
【００３３】
下スライダ４４には大形カード１をこの挿入方向から当接させる突起６１を備え、また下スライダ４４の前側縁部の下面に後上がり傾斜状のコンタクト押下面６２を形成するもので、大形カード１挿入時、上スライダ７の押込開始タイミングより前に、大形カード１を初期位置にある下スライダ４４の突起６１前端面に前方から係合させ、大形カード１によって下スライダ４４を各復帰バネ５３，５４に抗して後方へ押込み、下スライダ４４の前側縁部を各前コンタクト端子３０の前半部上側（前コンタクト取付部２３の上側）から各前コンタクト端子３０の後半部の後上がり傾斜姿勢の自由状態の各前コンタクト接片３１上側にスライド移動させて乗上げさせ、各前コンタクト接片３１をコンタクト押下面６２によって各前コンタクト接点３２が大形カード１に接触する前にカード挿入空間１９の下方へ強制的に押倒し、各前コンタクト接点３２が大形カード１に接触することを防止するように構成している。
【００３４】
図４乃至図７及び図１２乃至図１５に示す如く、上記前コンタクト保護機構８のロック機構９は、下スライダ４４の左側部に上下方向に揺動自在に設けるロックレバー６３と、該ロックレバー６３の揺動端部に設ける前記突起６１と、本体ボディ４のボディ底面１３に設けるロック溝６４とを備える。
【００３５】
下スライダ４４の左側面上部から左側に水平に平面視縦長な長方形状の板状張出部６５を張出し形成すると共に、該板状張出部６５の右側部（基側部）にこの前端から後端の少し手前にわたって前後方向にスリット６６を形成し、該スリット６６より左側部分に後端部を基部とし前端部を自由端部とし上面が下スライダ４４の上面と面一になる水平姿勢から前下がり傾斜姿勢に撓み変形可能な平面視縦長な長方形状の板バネ部を形成し、該板バネ部をロックレバー６３として用いるもので、該ロックレバー６３の下面を下スライダ４４より左側のボディ底面１３上、詳しくは下スライダ４４の左右側縁部下面及び後側縁部下面を摺動自在に支持しているボディ底面１３より一段高くなっていて左脚部３５の下面を摺接支持しているボディ底面１３の左側縁部上に摺動自在に支持している。
【００３６】
前記突起６１はロックレバー６３の自由端部となる前端部上面から上方に平面視縦長な長方形状に突出形成し、下スライダ４４が初期位置にある時、突起６１をカード挿入空間１９の前部左端にこの下方から突出させ、大形カード１挿入時、イジェクト位置にある上スライダ７の大形カード受止面４２に大形カード１の挿入端面が前方から係合する前に、初期位置にある下スライダ４４の突起６１の前端面に、大形カード１の挿入側端部左角部に形成された誤挿入防止用面取部６７の下面側に形成された後方及び下方に開く凹部６８の垂直面６９を前方から係合させ、大形カード１によって上スライダ７を後方へ押込む前に下スライダ４４を後方へ押込むように構成している。
【００３７】
突起６１の垂直な前端面と水平な上端面で構成する前上角部に丸み（所謂、「アール」）を付ける円弧面７０を設け、大形カード１の前記垂直面６９に対する突起６１の当接面を垂直方向から水平方向に湾曲する前記円弧面７０で形成し、ロックレバー６３をボディ底面１３の左側縁部上面に押付けながら（ロックレバー６３に押下力を付与しながら）下スライダ４４と一体に後方へスライド移動させるように構成している。
【００３８】
ロック溝６４はロックレバー６３を摺接支持しているボディ底面１３の左側縁部で、下スライダ４４が各前コンタクト接片３１の押倒位置にスライド移動した時のロックレバー６３と平面視で重なる位置に設け、ロックレバー６３を嵌込可能に平面視縦長な長方形状に形成するもので、大形カード挿入時、該大形カード１によって下スライダ４４が突起６１を介して初期位置から各復帰バネ５３，５４に抗して後方へ押込まれ、該下スライダ４４の前側縁部で各前コンタクト接片３１がカード挿入空間１９の下方へ強制的に押倒された時、即ち前コンタクト保護機構８が働いた時、ロックレバー６３の摺接支持面をロック溝６４によってなくしていることで、該ロックレバー６３をこの後端を基点（支点）に前下がり傾斜状に撓み変形（揺動）させてロック溝６４内に落込み、ロックレバー６３の前端を各復帰バネ５３，５４によってロック溝６４の前端部に後方から係合させ、下スライダ４４を各前コンタクト接片３１の押倒位置にて本体ボディ４に位置固定すると共に、ロックレバー６３のロック溝６４への落込みによって、ロックレバー６３の前端に設けた突起６１をカード挿入空間１９の下側に下降させて大形カード１の垂直面６９から外し、大形カード１と下スライダ４４との係合を解除し、大形カード１を上スライダ７のみを押込みながらさらに後方へ押込ませ、大形カード１の垂直面６９が突起６１を超えて後方へ通過し、該大形カード１の下面で突起６１を押下保持することによって、ロックレバー６３の前下がり傾斜姿勢（ロック状態）から水平姿勢（アンロック状態）への復帰動作を規制し、ロック機構９のロック状態を維持する一方、大形カード１排出時、大形カード１の垂直面６９が突起６１を超えて前方へ通過し、大形カード１の下面による突起６１の押下保持を解除することによって、ロックレバー６３を前下がり傾斜姿勢（ロック状態）から水平姿勢（アンロック状態）へ復帰させ、ロック機構９をアンロック状態とし、下スライダ４４を各復帰バネ５３，５４によって初期位置に復帰移動させるように構成している。
【００３９】
上記から明らかなように本実施例のカードコネクタは、前コンタクト保護機構８とそのロック機構９とを備え、前コンタクト保護機構８はカード排出方向へバネ付勢される下スライダ４４を備えると共に、該下スライダ４４には大形カード１をこの挿入方向から当接させる突起６１を備え、大形カード１挿入時、該大形ガード１によって下スライダ４４が本体ボディ４のボディ底面１３上で押込まれ、該下スライダ４４によって前コンタクト６を下方へ押倒し大形カード１に接触することを防止し、ロック機構９は下スライダ４４の側部に上下方向に揺動自在に設けるロックレバー６３と、該ロックレバー６３の揺動端部に設ける前記突起６１と、本体ボディ４のボディ底面１３に設けるロック溝６４とを備え、前記前コンタクト保護機構８が働いた時、ロックレバー６３がロック溝６４に落込み、下スライダ４４を前コンタクト６押倒位置にて本体ボディ４に位置固定すると共に、下スライダ４４の突起６１を大形カード１から外すという本発明の特徴構成を有し、この構成を採用したことによって、大形カード１挿入時、前コンタクト保護機構８が働いた以降、上スライダ７を押込むだけの押込力で大形カード１をカードセット位置へ挿入できるから、上スライダ７とは別に下スライダ４４を備えても、従来に比べて小さい押込力で大形カード１をカードセット位置へ挿入できる。
【００４０】
また、大形カード１に対する前記突起６１の当接面を垂直方向から水平方向へ湾曲する円弧面７０で形成し、前記前コンタクト保護機構８が働いた時、大形カード１が突起６１を押下げながら通過することによって、ロックレバー６３がロック溝６４に落込み、ロック機構９を働かせると共に、そのロック状態を維持する本発明の特徴構成を有し、この構成を採用したことによって、大形カード１排出時、ロック機構９をアンロック状態に復帰させて前コンタクト保護機構８を自動的に初期状態に復帰させることが可能となり、前コンタクト保護機構８及びそのロック機構９を簡潔な構成にできる。
【００４１】
尚、ロックレバー６３は下スライダ４４と別体に構成してもよい。この場合、下スライダ４４の後端部を左右方向の揺動支点軸回りで揺動自在に下スライダ４４の左側部に支持すると共に、ロックレバー６３を上方へバネ付勢するバネ部材とロックレバー６３を下方から係合させてこれを水平姿勢に位置保持するストッパー部材を設けることによって、本実施例のロックレバー６３と同様の働きをするロックレバー６３を得ることができる。しかし本実施例のように下スライダ４４の左側面に一体形成する板バネ部をロックレバー６３として用いることによって、ロック機構９を少ない部品で簡潔に構成できると共に、組立ても簡単に行うことができる。またロックレバー６３をボディ底面１３側に引っ掛けることなく確実にロック溝６４に落込むため、下スライダ４４の左外側面を摺接支持させる前記左ガイドレール４７とロック溝６４との間に形成される薄板状のガイドレール部７１の前部を前記スリット６６に嵌まる高さに形成している。さらにロック溝６４の後端部はボディ底面１３から直角に落込ませるのではなく前下がり傾斜状のスロープ面７２によって徐々に落込ませ、該スロープ面７２をロックレバー６３の下方への揺動方向のストッパーとして働かせると共に、ロック溝６４によるボディ底面１３の開口面積をできる限り小さくしてボディ剛性を維持する補強として働かせる。
【００４２】
前記ロックレバー６３の下面及び前後端部を薄い金属板製で上方に開いたＣ形の補強カバー７３で覆うと共に、ロック溝６４の後端部を横切る断面円形の細い金属製補強ピン７４をボディ底面１３に設け、樹脂製のボディ底面１３に対してロックレバー６３下面の金属面を摺接支持させると共に、ロックレバー６３のロック溝６４への落込時及びロック溝６４からの抜出時、該ロックレバー６３前端の円弧状金属面とロック溝６４前端の円弧状金属面（断面円形の細い金属製補強ピン７４）を接触させ、ロックレバー６３とロック溝６４との接触部分の耐磨耗性及び摺動性を確保するように構成している。
【００４３】
上記から明らかなように本実施例のカードコネクタは、ロックレバー６３とロック溝６４との接触部分に金属部材７３，７４を備える本発明の特徴構成を有し、この構成を採用したことによって、これら接触部分の耐磨耗性を確保でき、ロック機構９の性能を適正に維持できる。
【００４４】
また、ロックレバー６３とロック溝６４との接触部分を円弧状に形成した本発明の特徴構成を有し、この構成を採用したことによって、ロックレバー６３がロック溝６４に落込む時及びロック溝６４から抜出す時の摺動性を確保でき、ロック機構９の円滑なロック及びアンロック動作を実現できる。
【００４５】
尚、ロックレバー６３の前端に設けられる大形カード１との接触部である突起６１もロックレバー６３と同様に、この前後端面及び上端面を薄い金属板製の補強カバー７５で覆い、大形カード１に対する耐磨耗性及び摺動性を確保している。また突起６１の後上角部には該部がイジェクト時に大形カード１の下面に引掛かるのを防止するための面取部７６を設けている。
【００４６】
図２及び図８乃至図１１に示す如く、大形カード１の上スライダ７に対するセミロック機構７７を備えるもので、該セミロック機構７７はカード挿入空間１９の左端部に垂直に立上がる左脚部３５内側面の前端部を部分的に内側に窪ませて形成する凹部７８と、該凹部７８に基部を左右方向に摺動自在に嵌合保持させるセミロック部材７９と、該セミロック部材７９と凹部７８底面との間に張設してセミロック部材７９の先端係止部８０を凹部７８からカード挿入口３の直後のカード挿入空間１９の前端部にこの左横外側から弾力的に突出させるコイルバネや板バネその他ゴム弾性材等で構成する弾性部材８１とを備え、セミロック部材７９の先端係止部８０の先端前後角部に面取部８２，８３を設け、大形カード１挿入時、該大形カード１の誤挿入防止用面取部６７とセミロック部材７９の先端係止部８０の先端前角部の面取部８２との接触によってセミロック部材７９を弾性部材８１に抗して凹部７８内に押込むと共に、大形カード１の挿入端部がイジェクト位置にある上スライダ７の前端面（大形カード受止面４２）とこの前端面より前方に突出する左右脚部３５，３６の内側面とで形成された前方に開いた平面視コの字形の凹部に嵌込まれ、大形カード１の挿入側端面が上スライダ７の大形カード受止面４２に前方から係合する時、即ち大形カード１が上スライダ７の押込開始位置まで挿入された時、該大形カード１の左側面で誤挿入防止用面取り部６７の直後（挿入方向に対して）に形成されるセミロック溝８４にセミロック部材７９を対向させ、弾性部材８１によってセミロック部材７９の先端係止部８０をセミロック溝８４内に突出係入させ、大形カード１の上スライダ７に対する前後方向の位置決めを行い、大形カード１のカードセット位置への挿入動作に追従した上スライダ７の後方への押込みから上スライダ７のイジェクト位置への復帰動作に追従した大形カード１の後方への排出（押出し）を確実に行わせるように構成している。
【００４７】
図２及び図８乃至図１１に示す如く、カード判別機構１０はカード挿入口３付近のカード挿入空間１９にこの横外側方から弾力的に先端部を突出させるカード判別部材８５を備える。
【００４８】
カード判別部材８５は縦長な長方形状の板バネで構成し、カード挿入空間１９を挟んでセミロック部材７７と反対側に配設するもので、上スライダ７の右脚部３６の内側に前方に開く平面視縦長な略Ｙ字形状の収容溝８６を形成し、該収容溝８６にカード判別部材８５を表裏が左右に向く姿勢で嵌合させ、カード判別部材８５の後半部を筋状の収容溝８５後半部に圧入固定させ、カード判別部材８５の自由端部となる前半部を前方に開いた略Ｖ字状の収容溝８６前半部の左側壁面に弾力的に押当てる状態で、収容溝８６内にカード判別部材８５を取付けている。また収容溝８６の前端より少し後側に入った部分を右脚部３６の内側に開放する溝口８７を形成すると共に、カード判別部材８５の前端より少し後側に入った部分に左側に張出す係止部８８を形成し、該係止部８８を右側方に開く平面視コの字形状に形成し、その前角部に面取部８９を形成し、該係止部８８を収容溝８６から溝口８７を介してカード挿入口３の直後のカード挿入空間１９の前端部にこの右横外側から弾力的に突出させている。さらに係止部８８に付勢するカード判別部材８５の弾性力とセミロック部材７９に付勢する弾性部材８１の弾性力を略同じに設定している。
【００４９】
小形カード２挿入時、図１０に示すように、該小形カード２をセミロック部材７９の先端係止部８０と小形カード２をカード判別部材８５の係止部８８とで左右から挟み、小形カード２とこの左右両外側の左右脚部３５，３６の内側面との間（カード挿入空間１９の左右両側部）に略同じ左右幅の隙間を形成するように、小形カード２を突起６１から外れるカード挿入空間１９の左右中央部に位置決めした状態で挿入し、セミロック部材７９の先端係止部８０と共にカード判別部材８５の係止部８８をカード挿入空間１９に突出させ、セミロック部材７９と共にカード判別部材８５を略自由状態に保持する一方、大形カード１挿入時、該大形カード１の左側面の面取部８２でセミロック部材７９の先端係止部８０を弾性部材８１に抗して左側に後退させ、カード挿入空間１９の左外側に押退けると同時に、大形カード１の右側面でカード判別部材８５の係止部８８をこの面取部８９を介してカード判別部材８５自身のバネ力に抗して右側に後退させ、カード挿入空間１９の右外側に押退け、カード判別部材８５の前半部を収容溝８６の右側部に撓み変位（揺動）させ、係止部８８を収容溝８６内に押込みむように構成し、大形カード１と小形カード２の横幅に基づくカード挿入空間１９へのカード判別部材８５の係止部８８の突出量の多少（出入れ）によって大形カード１と小形カード２とを判別するように構成している。
【００５０】
図２及び図８乃至図１１に示す如く、スライダ一体分離切換機構１１は上スライダ７に設けた前記カード判別部材８５と、該カード判別部材８５先端部の係止部８８を下スライダ４４に係合させる係合溝９０とを備える。
【００５１】
係合溝９０は下スライダ４４の右側縁を部分的にカード判別部材８５先端部の係止部８８の外形と略同じ形状に内側に窪ませて形成したもので、カード未挿入時で、上スライダ７がイジェクト位置にあり、下スライダ４４が初期位置にある時、自由状態のカード判別部材８５の係止部８８の下部を係合溝９０に嵌合させることにより、該係止部８８の上部をカード挿入口３の直後のカード挿入空間１９の前端部にこの右横外側から弾力的に突出させ、小形カード２挿入時のカード判別部材８５の小形カード２判別動作、即ちカード判別部材８５の係止部８８がカード挿入空間１９に突出する動作状態によって、係止部８８の下部を係合溝９０に嵌合保持させ、上下スライダ７，４４をカード判別部材８５によって一体に連結した状態で、該上下スライダ７，４４をこの間に小形カード２の挿入端部を挟んだ状態で小形カード２によって一体的に後方へ押込み、また上下スライダ７，４４をこれらに付勢されているイジェクトバネ３９、左右復帰バネ５３，５４によってイジェクト位置、初期位置に一体的に復帰させる一方、大形カード１挿入時のカード判別部材８５の大形カード１判別動作、即ちカード判別部材８５の係止部８８がカード挿入空間１９から収容溝８６内に押込まれる動作によって、係止部８８の下部を係合溝９０から離脱させ、上下スライダのカード判別部材８５による連結を解除した独立分離状態で、該上下スライダ７，４４を大形カード１によって別々に後方へ押込み、また上下スライダ７，４４をこれらに付勢されているイジェクトバネ３９、左右復帰バネ５３，５４によってイジェクト位置、初期位置に別々に復帰させるように構成している。
【００５２】
上記から明らかなように本実施例のカードコネクタは、カード判別機構１０とスライダ一体分離切換機構１１とを備え、カード判別機構１０はカード挿入口３付近のカード挿入空間１９にこの横外側方から弾力的に先端部の係止部８８を突出させるカード判別部材８５を備え、大形カード１と小形カード２の横幅の異なりによって小形カード２挿入時に比べて大形カード１挿入時にカード挿入空間１９へのカード判別部材８５の先端部の係止部８８の突出量が多くなることによって大形カード１と小形カード２の判別を行い、スライダ一体分離切換機構１１は前記上スライダ７に設ける前記カード判別部材８５と、該カード判別部材８５の先端部の係止部８８を下スライダ４４に係合させる係合溝９０とを備え、カード判別機構１０による小形カード２判別動作によってカード判別部材８５の先端部の係止部８８を係合溝９０に嵌込み、上スライダ７と下スライダ４４をカード判別部材８５によって連結し、カード判別機構１０による大形カード１判別動作によってカード判別部材８５の先端部の係止部８８を係合溝９０から外し、上スライダ７と下スライダ４４を分離する本発明の特徴構成を有し、この構成を採用したことによって、大形カード１挿入時で前コンタクト６の保護が必要な場合にのみ、上スライダ７と下スライダ４４を分離独立させ、小形カード２挿入時で前コンタクト６の保護が不必要な場合は、上スライダ７と下スライダ４４を連結一体化することで、小形カード２挿入時、該小形カード２のがたつき等を容易に抑制できる。
【００５３】
尚、カード判別機構１０は前記セミロック機構７７と同様のシリンダ型やソレノイド型、又はカム式のものでもよく、突出方向に常時付勢されるカード判別体を大形カード１と小形カード２の横幅の異なりによってカード挿入空間１９に対して出入れでき、同時に係合溝９０に対して係脱できるものであれば良いが、カード判別機構１０を板バネ製のカード判別部材８５で構成した場合、その組込みスペースが小さいので有効である。
【００５４】
図１、図２及び図１２乃至図１５に示す如く、シャッタ部材１２は樹脂材料によって一体成形加工したもので、カード挿入口３に対応して横長な長方形状に形成し、左右側縁に左右係止突起９１，９２を一体形成すると共に、下縁左右側部に前方に開く断面Ｃ形の左右軸受部９３，９４を、該左右軸受部９３，９４の間に後方に開く断面Ｃ形の中央軸受部９５をそれぞれ一体形成している。左右両端部をボディ前側壁１４に支持させてカード挿入口３の下縁に横架させる細長い金属軸で構成するシャッタ軸９６を設け、左右軸受部９３，９４と中央軸受部９５をシャッタ軸９６にこの周側上方から嵌着し、シャッタ軸９６を左右軸受部９３，９４と中央軸受部９５によって前後方向から挟持し、シャッタ部材１２をシャッタ軸９６を支点にカード挿入口３の内側に起伏自在に取付けると共に、シャッタ軸１２の左端部に遊嵌するコイルバネ９７の一端をシャッタ部材１２の内面に、他端をボディ底面１３にそれぞれ着脱自在に取付け、シャッタ部材１２にバネ力を起立方向に常時付勢し、左右係止突起９１，９２をボディ前側壁１４の内面に当接させることによってシャッタ部材１２を起立保持させ、カード挿入口３をシャッタ部材１２によって閉じ、大形カード１又は小形カード２の挿入端面でシャッタ部材１２を後方へ押倒しカード挿入口３を開きながら、挿入カード１又は２をカード挿入口３からカード挿入空間１９に挿入すると共に、挿入カード１又は２の下面でシャッタ部材１２をボディ底面１３上に水平に押倒保持し、挿入カード１又は２を抜去ることによって、シャッタ部材１２を起立復帰させてカード挿入口３を閉じるように構成している。
【００５５】
上記から明らかなように本実施例のカードコネクタは、カード挿入口３を開閉するシャッタ部材１２を備えたことによって、カード挿入口３からカードコネクタ内部に塵埃等が侵入することを防止でき、塵埃等から後コンタクト５及び前コンタクト６やその他内部機構を保護できる。またシャッタ部材１２は本体ボディ４のシャッタ軸９６に対してこの周側から着脱自在に取付けることができるから、カードコネクタの組立てや修理時にシャッタ部材１２が邪魔になるのを防止できる。
【００５６】
本実施例のカードコネクタは上記のように構成するもので、全体の作用を以下に簡単に説明する。図１、図２、図８、図１２、図１４に示すように、カードコネクタはカード未挿入時には、上スライダ７がイジェクト位置に復帰し、下スライダ４４も初期位置に復帰し、ロック機構９がアンロック状態となり、カード判別機構１０のカード判別部材８５が自由状態でスライダ一体分離切換機構１１により上下スライダ７，４４が一体に連結された状態にある。
【００５７】
図１０に示すように、小形カード２の使用に当たって、該小形カード２を適正姿勢でカード挿入口３からカード挿入空間１９に挿入すると（１回目の押込操作が行われると）、カード判別機構１０のカード判別部材８５はこの先端の係止部８８が図２、図８及び図９の実線、図１０に示すようにカード挿入空間１９に突出する略自由状態を維持し、小形カード２を判別する。これによって係止部８８と係合溝９０との嵌合が維持され、スライダ一体分離切換機構１１による上下スライダ７，４４の一体連結が維持される。この状態で小形カード２がさらに挿入されると、該小形カード２の挿入端面が上スライダ７の小形カード受止面４１によって受止められる。この状態から挿入操作を継続してさらに小形カード２を挿入すると、それによって上スライダ７と下スライダ４４が後方へ一体的に押込まれる。そして、イジェクト機構のカムロック機構（図示省略）の働きによって上スライダ７が第２の押込位置で位置固定されてロック状態となり、これに伴って上スライダ７に一体連結されている下スライダ４４もロック状態となり、小形カード２がこのカードセット位置に挿入され、前コンタクト６の各前コンタクト接点３２が小形カード２の各接触パッドに接触保持される。尚、小形カード２のカードセット位置への挿入時には、下スライダ４４の前側縁部が各前コンタクト接片３１の手前（前側）で停止し、前コンタクト保護機構８及びそのロック機構９は機能しない。
【００５８】
小形カード２がこのカードセット位置に挿入されている状態から２回目の押込操作が行われると、イジェクト機構のカムロック機構（図示省略）がアンロック状態となるので、イジェクトバネ３９及び左右復帰バネ５３，５４によって上スライダ７と下スライダ４４が前方へ一体的に押出され、上スライダ７がイジェクト位置に、下スライダ４４が初期位置に復帰し、これに伴って小形カード２が上スライダ７にセミロック部材７９とカード判別部材８５を介して保持された状態で前方に押出され（排出され）、この後、小形カード２をカード挿入口３から突出する部分を指で摘んでカードコネクタから抜取る。
【００５９】
一方、図１１に示すように、大形カード１の使用に当たって、該大形カード１を適正姿勢でカード挿入口３からカード挿入空間１９に挿入すると（１回目の押込操作が行われると）、カード判別機構１０のカード判別部材８５はこの先端の係止部８８が図８及び図９の仮想線、図１１に示すようにカード挿入空間１９から収容溝８６内に押込まれ、大形カード１を判別する。これによって係止部８８が係合溝９０から離脱し、スライダ一体分離切換機構１１による上下スライダ７，４４の一体連結が解除される。この状態で大形カード１がさらに挿入されると、先ず、図４、図７の（ａ）に示すように前コンタクト保護機構８とロック機構９に共用の突起６１の前端面に大形カード１の垂直面６９が前方から係合し、下スライダ４４が後方へ押込まれる。次いで、該大形カード１の挿入端面が図６の（ａ）、図１１に示すように上スライダ７の大形カード受止面４２によって受止められると共に、図１１に示すようにセミロック機構７７のセミロック部材７９の先端係止部８０が大形カード１のセミロック溝８４に突出係入する。この状態から挿入操作を継続してさらに大形カード１を挿入すると、大形カード１が前コンタクト６の各前コンタクト接点３２を通過する前（大形カード１が前コンタクト６の各前コンタクト接点３２に接触する前）に、図６の（ｂ）、図６の（ｃ）に示すように自由状態の各前コンタクト接片３１上側に下スライド４４の前側縁部が乗上げ、各前コンタクト接片３１をコンタクト押下面６２によって下方へ強制的に押倒し、各前コンタクト接点３２が大形カード１に擦れない位置までカード挿入空間１９の下方へ逃がし、前コンタクト６を保護する。このように前コンタクト保護機構８が働いた時、図５、図７の（ｂ）、図７の（ｃ）に示すようにロックレバー６３がロック溝６４の真上に移動してこの中に落込み、下スライダ４４が各前コンタクト接片３１の押倒位置にて本体ボディ４に位置固定されてロック状態となる。このようにロック機構９が働くとロックレバー６３の前端に設けた突起６１がカード挿入空間１９の下側に下降して大形カード１の垂直面６９から外る。したがって、これ以降大形カード１には下スライダ４４の左右復帰バネ５３，５４の荷重は掛からず、イジェクトバネ３９の荷重のみが掛かることになり、大形カード１は上スライダ７を押込むだけの小さな押込力でカードセット位置へ挿入することができるのである。この状態から挿入操作を継続してさらに大形カード１を挿入すると、図６の（ｃ）、図７の（ｃ）に示すように大形カード１の下面で突起６１を介してロックレバー６３をロック溝６４内に押込保持した状態で前コンタクト６を通過し、上スライダ７のみを後方へ押込む。そして、イジェクト機構のカムロック機構（図示省略）の働きによって上スライダ７が第１の押込位置で位置固定されてロック状態となり、大形カード１がこのカードセット位置に挿入され、後コンタクト５の各後コンタクト接点３４が大形カード１の各接触パッドに接触保持される。
【００６０】
大形カード１がこのカードセット位置に挿入されている状態から２回目の押込操作が行われると、イジェクト機構のカムロック機構（図示省略）がアンロック状態となるので、イジェクトバネ３９によって上スライダ７が前方へ押出され、上スライダ７がイジェクト位置に復帰し、これに伴って大形カード１が前方へ押出され、大形カード１の垂直面６９が突起６１を超えて前方へ通過すると、ロックレバー６３が係合溝６４から上方に抜出て下スライダ４４のロックが解除され、下スライダ４４も各復帰バネ５３，５４によって初期位置に復帰し、これに伴って小形カード２が上スライダ７にセミロック部材７９を介して保持された状態で前方に押出され（排出され）、この後、大形カード１をカード挿入口３から突出する部分を指で摘んでカードコネクタから抜取る。
【００６１】
以上のように本実施例のカードコネクタは、サイズの異なる２種類の大形カード１及び小形カード２が使用できる。また挿入された大形カード１又は小形カード２の動きに追従する上スライダ７と前コンタクト６を保護する下スライダ４４を備え、挿入カード１又は２のサイズ（形状）の違いにより上スライダ７と下スライダ４４の動作を一体又は分離独立できる機構によって前コンタクトを保護している。
【００６２】
【発明の効果】
以上実施例から明らかなように本発明は、サイズの異なる２種類の大形カード１及び小形カード２共用の単一のカード挿入口３を有する本体ボディ４に、大形カード用コンタクト５及び小形カード用コンタクト６とカードイジェクト用スライダ７とを備え、小形カード２をカードイジェクト用スライダ７を押込みながら大形カード用コンタクト５より手前に配置された小形カード用コンタクト６に対応するカードセット位置へ挿入し、大形カード１をカードイジェクト用スライダ７を押込みながら小形カード用コンタクト６より奥側に配置された大形カード用コンタクト５に対応するカードセット位置へ挿入するカードコネクタにおいて、小形カード用コンタクト保護機構８とそのロック機構９とを備え、小形カード用コンタクト保護機構８はカード排出方向へバネ付勢されるコンタクト保護用スライダ４４を備えると共に、該コンタクト保護用スライダ４４には大形カード１をこの挿入方向から当接させる突起６１を備え、大形カード１挿入時、該大形ガード１によってコンタクト保護用スライダ４４が本体ボディ４のボディ底面１３上で押込まれ、該コンタクト保護用スライダ４４によって小形カード用コンタクト６を下方へ押倒し大形カード１に接触することを防止し、ロック機構９はコンタクト保護用スライダ４４の側部に上下方向に揺動自在に設けるロックレバー６３と、該ロックレバー６３の揺動端部に設ける前記突起６１と、本体ボディ４のボディ底面１３に設けるロック溝６４とを備え、前記小形カード用コンタクト保護機構８が働いた時、ロックレバー６３がロック溝６４に落込み、コンタクト保護用スライダ４４を小形カード用コンタクト６押倒位置にて本体ボディ４に位置固定すると共に、コンタクト保護用スライダ４４の突起６１を大形カード１から外す。この構成を採用したことによって、大形カード１挿入時、小形カード用コンタクト保護機構８が働いた以降、カードイジェクト用スライダ７を押込むだけの押込力で大形カード１をカードセット位置へ挿入できるから、カードイジェクト用スライダ７とは別に小形カード用コンタクト保護用スライダ４４を備えても、従来に比べて小さい押込力で大形カード１をカードセット位置へ挿入できるという顕著な効果を奏する。
【００６３】
また、大形カード１に対する前記突起６１の当接面を垂直方向から水平方向へ湾曲する円弧面７０で形成し、前記小形カード用コンタクト保護機構８が働いた時、大形カード１が突起６１を押下げながら通過することによって、ロックレバー６３がロック溝６４に落込み、ロック機構９を働かせると共に、そのロック状態を維持するように構成した。この構成を採用することによって、大形カード１排出時、ロック機構９をアンロック状態に復帰させて小形カード用コンタクト保護機構８を自動的に初期状態に復帰させることが可能となり、小形カード用コンタクト保護機構８及びそのロック機構９を簡潔な構成にできるという顕著な効果を奏する。
【００６４】
また、カード判別機構１０とスライダ一体分離切換機構１１とを備え、カード判別機構１０はカード挿入口３付近のカード挿入空間１９にこの横外側方から弾力的に先端部を突出させるカード判別部材８５を備え、大形カード１と小形カード２の横幅の異なりによって小形カード２挿入時に比べて大形カード１挿入時にカード挿入空間１９へのカード判別部材８５の先端部突出量が多くなることによって大形カード１と小形カード２の判別を行い、スライダ一体分離切換機構１１は前記カードイジェクト用スライダ７に設ける前記カード判別部材８５と、該カード判別部材８５の先端部をコンタクト保護用スライダ４４に係合させる係合溝９０とを備え、カード判別機構１０による小形カード２判別動作によってカード判別部材８５の先端部を係合溝９０に嵌込み、カードイジェクト用スライダ７とコンタクト保護用スライダ４４をカード判別部材８５によって連結し、カード判別機構１０による大形カード１判別動作によってカード判別部材８５の先端部を係合溝９０から外し、カードイジェクト用スライダ７とコンタクト保護用スライダ４４を分離するように構成した。この構成を採用したことによって、大形カード１挿入時で小形カード用コンタクト６の保護が必要な場合にのみ、カードイジェクト用スライダ７とコンタクト保護用スライダ４４を分離独立させ、小形カード２挿入時で小形カード用コンタクト６の保護が不必要な場合は、カードイジェクト用スライダ７とコンタクト保護用スライダ４４を連結一体化することで、小形カード２挿入時、該小形カード２のがたつき等を容易に抑制できるという顕著な効果を奏する。
【００６５】
また、ロックレバー６３とロック溝６４との接触部分に金属部材７３，７４を備えた。この構成を採用したことによって、これら接触部分の耐磨耗性を確保でき、ロック機構９の性能を適正に維持できるという顕著な効果を奏する。
【００６６】
また、ロックレバー６３とロック溝６４との接触部分を円弧状に形成した。この構成を採用したことによって、ロックレバー６３がロック溝６４に落込時及びロック溝６４から抜出時の摺動性を確保でき、ロック機構９の円滑なロック及びアンロック動作を実現できるという顕著な効果を奏する。
【００６７】
また、カード挿入口３を開閉するシャッタ部材１２を備えた。この構成を採用したことによって、カード挿入口３からカードコネクタ内部に塵埃等が侵入することを防止でき、塵埃等から大形カード用コンタクト５及び小形カード用コンタクト６やその他内部機構を保護できるという顕著な効果を奏する。
【図面の簡単な説明】
【図１】本発明に係るカードコネクタの外観斜視図。
【図２】図１のカードコネクタのカバーを取外した状態の外観斜視図。
【図３】本体ボディの外観斜視図。
【図４】コンタクト保護機構及びそのロック機構の作動前の状態を示す斜視説明図。
【図５】図４のロック機構の作動直前の状態を示す斜視説明図。
【図６】コンタクト保護機構の作動状態を示す側面説明図。
【図７】ロック機構の作動状態を示す側面説明図。
【図８】カード判別機構とスライダ一体分離機構を示す平面説明図。
【図９】カード判別機構とスライダ一体分離機構の部分拡大斜視説明図。
【図１０】小形カード挿入時のカード判別機構とスライダ一体分離機構を示す平面説明図。
【図１１】大形カード挿入時のカード判別機構とスライダ一体分離機構を示す平面説明図。
【図１２】シャッタを閉じた状態のカード挿入口部内側の斜視図。
【図１３】シャッタを開いた状態のカード挿入口部内側の斜視図。
【図１４】シャッタを閉じた状態のカード挿入口部の外観斜視図。
【図１５】シャッタを開いた状態のカード挿入口部の外観斜視図。
【符号の説明】
１  大形カード
２  小形カード
３  カード挿入口
４  本体ボディ
５  後コンタクト（大形カード用コンタクト）
６  前コンタクト（小形カード用コンタクト）
７  上スライダ（カードイジェクト用スライダ）
８  前コンタクト保護機構（小形カード用コンタクト保護機構）
９  ロック機構
１０  カード判別機構
１１  スライダ一体分離切換機構
１２  シャッタ部材
１３  ボディ底面
１９  カード挿入空間
３９  イジェクトバネ
４４  下スライダ（コンタクト保護用スライダ）
５３，５４  復帰バネ
６１  突起
６２  コンタクト押下げ面
６３  ロックレバー
６４  ロック溝
７０  円弧面
７３  金属カバー（金属部材）
７４  補強ピン（金属部材）
８５  カード判別部材
９０  係合溝
【図１】
2005011666.tif 000003
【図２】
2005011666.tif 000004
【図３】
2005011666.tif 000005
【図４】
2005011666.tif 000006
【図５】
2005011666.tif 000007
【図６】
2005011666.tif 000008
【図７】
2005011666.tif 000009
【図８】
2005011666.tif 000010
【図９】
2005011666.tif 000011
【図１０】
2005011666.tif 000012
【図１１】
2005011666.tif 000013
【図１２】
2005011666.tif 000014
【図１３】
2005011666.tif 000015
【図１４】
2005011666.tif 000016
【図１５】
2005011666.tif 000017